(57)【要約】【課題】同軸ケーブルコネクタ取外し防止ブッシングの提供。【解決手段】一種の同軸ケーブルコネクタ取外し防止ブッシング、主に半円筒形の上、下蓋の裏表面に一つ以上の弾性戻り防止片を設け、連結帯を上蓋と下蓋の第１端面の間に設け、互いに締結する。閉合機構を上蓋と下蓋の第２端面の間に設け、互いに締結する。取外し防止ブッシングは軸方向にてターミナルコネクタ付近部に装入し戻り防止片を棒部材のノッチに締結した上、取外し防止ブッシングを回して、ターミナルコネクタに結合することにより、末端部ソケットと取り合いコネクタとの間に盗難防止の連結を形成する。【選択図】図２
0003126613.tif 000002
【実用新案登録請求の範囲】
【請求項１】
該同軸ケーブルコネクタはターミナルコネクタ一を設け、同軸ケーブルをターミナルコネクタに取り付けて、同軸ケーブルをさまざまな電気部材に連結し、電気的並びに機械締結を形成し、該ターミナルコネクタに軸カラーを有し、
棒部材を軸方向にて軸カラーに取り付け、その先端部に雄フランジを設け、リング形溝を該雄フランジに設け、該ターミナルコネクタの先端部に回転自在な締結具を電気部材の取り合いコネクタに締結し、該取外し防止ブッシングは半円筒形の上蓋、半円筒形の下蓋、連結帯及び閉合機構を含み、
半円筒形の上蓋は第１端面を具え、第２端面及びターミナルコネクタを収納する裏表面を設け、該裏表面に弾性戻り防止片と棒部材のリング形溝に合わせて設け、
半円筒形の下蓋は第１端面、第２端面及びターミナルコネクタを収納する裏表面を設け、該裏表面に弾性戻り防止片と棒部材のリング形溝に合わせて設け、
連結帯は上蓋と下蓋の第１端面の間に取り付けて、互いに締結し、
閉合機構は上蓋と下蓋の第２端面の間に設けられ、開放できないよう互いに締結し、
締結具と取り合いコネクタを締結した後、取外し防止ブッシングの上下蓋は該閉合機構により、円筒状を形成し、取外し防止ブッシングの戻り防止片を棒部材のノッチに締結するまで、軸方向にてターミナルコネクタに装入し、取外し防止ブッシングを回転自在に、ターミナルコネクタに締結することにより、ターミナルコネクタ取り合いコネクタの間に盗難防止の締結を形成することを特徴とする一種の同軸ケーブルコネクタ取外し防止ブッシング。
【請求項２】
該閉合機構は、上蓋の第２端面に一つ以上の装入部を設け、一つ以上の収容孔により、装入部と締結することを特徴とする請求項１記載の同軸ケーブルコネクタ取外し防止ブッシング。
【請求項３】
該収容孔の末端部は勾配部を設けることを特徴とする請求項２記載の同軸ケーブルコネクタ取外し防止ブッシング。
【請求項４】
該装入部は二股アームを設け、該二股アームの外側に円錐形翼部をそれぞれ設け、装入部と収容孔の結合により、翼部は勾配部の下方に締結されて、分離できないことを特徴とする請求項２記載の同軸ケーブルコネクタ取外し防止ブッシング。
【請求項５】
該上下蓋の裏表面は、半リング形溝を互いに対応して設け、該戻り防止片は半リング形溝から内側に一定の距離を曲げて、該棒部材に備えるノッチの表面に接触することを特徴とする請求項１記載の同軸ケーブルコネクタ取外し防止ブッシング。
【考案の詳細な説明】
【技術分野】
【０００１】
本考案は一種の同軸ケーブルコネクタ取外し防止ブッシングに関わるものである。末端部のつなぎ場所と取り合いコネクタとの間に盗難防止の締結を形成し、信号伝送品質を確保し、回線を外力破壊から防止する。
【背景技術】
【０００２】
同軸ケーブルコネクタはそもそも周知の技術である。型同軸ケーブルコネクタは通常、取り合い端子により、同軸ケーブルと各種の電気部材と電気的並びに機械的に一体化して結合する。
【０００３】
また、一般の有線テレビ放送システムは、同軸ケーブルにより、信号を視聴者への伝送が行われている。このため、従来の有線テレビ放送システムの主要幹線は、たくさんの分配器を取り付けて、該分配器により、同軸ケーブルを利用者側の壁ソケットに接続する。壁ソケットの内部にネジ山状の取り合い端子とF型同軸ケーブルコネクタと電気導通を構成する。
【０００４】
しかしながら、有線テレビ放送の違法接続行為が多く発生し、利用者の違法接続行為は、システム業者に権益損失を与える一方、回線の短絡を引き起こし、有線テレビ放送システムに厳重な干渉を引き起こす。取り合い端子とF型同軸ケーブルコネクタに盗難防止部材が設けられていないため、利用者がF型コネクタを取り外すことができる。このような欠点を克服の必要がある。
【０００５】
一種の取外し防止ブッシングにより、同軸ケーブルコネクタと取り合いコネクタを締結し、利用者の違法接続による伝送品質低下、または回線破壊を防止する。
【考案の開示】
【考案が解決しようとする課題】
【０００６】
まわし方式により、ターミナルコネクタに締結して、ターミナルコネクタの締結具の取外しを防止し、締結具と取り合いコネクタとの間に良好な機械締結を形成する、一種の同軸ケーブルコネクタ取外し防止ブッシングを提供することを本考案の主な目的である。
【０００７】
前記の目的を達成するため、本考案の取外し防止ブッシングは、主に半円筒形の上蓋に第１端面、第２端面及びターミナルコネクタを収容する裏表面を設け、裏表面に一つ以上の弾性戻り防止片を形成する。半円筒形の下蓋に第１端面、第２端面及びターミナルコネクタを収容する裏表面を設け、裏表面に一つ以上の弾性戻り防止片を形成する。連結帯を上蓋と下蓋の第１端面の間に設けて、互いに締結する。閉合機構を上蓋と下蓋の第２端面の間に設けて、開放できないように互いに締結する。ターミナルコネクタの締結具と電気部材の取り合いコネクタと締結する。取外し防止ブッシングの上下蓋は閉合機構により円筒状を形成する。これらの構成要素により、取外し防止ブッシングは棒部材のノッチに締結するまで、軸方向にてターミナルコネクタに装入した後、取外し防止ブッシングを回してターミナルコネクタに締結し、ターミナルコネクタと取り合いコネクタに盗難防止の締結を形成する。
【課題を解決するための手段】
【０００８】
請求項１の考案は、該同軸ケーブルコネクタはターミナルコネクタ一を設け、同軸ケーブルをターミナルコネクタに取り付けて、同軸ケーブルをさまざまな電気部材に連結し、電気的並びに機械締結を形成し、該ターミナルコネクタに軸カラーを有し、
棒部材を軸方向にて軸カラーに取り付け、その先端部に雄フランジを設け、リング形溝を該雄フランジに設け、該ターミナルコネクタの先端部に回転自在な締結具を電気部材の取り合いコネクタに締結し、該取外し防止ブッシングは半円筒形の上蓋、半円筒形の下蓋、連結帯及び閉合機構を含み、
半円筒形の上蓋は第１端面を具え、第２端面及びターミナルコネクタを収納する裏表面を設け、該裏表面に弾性戻り防止片と棒部材のリング形溝に合わせて設け、
半円筒形の下蓋は第１端面、第２端面及びターミナルコネクタを収納する裏表面を設け、該裏表面に弾性戻り防止片と棒部材のリング形溝に合わせて設け、
連結帯は上蓋と下蓋の第１端面の間に取り付けて、互いに締結し、
閉合機構は上蓋と下蓋の第２端面の間に設けられ、開放できないよう互いに締結し、
締結具と取り合いコネクタを締結した後、取外し防止ブッシングの上下蓋は該閉合機構により、円筒状を形成し、取外し防止ブッシングの戻り防止片を棒部材のノッチに締結するまで、軸方向にてターミナルコネクタに装入し、取外し防止ブッシングを回転自在に、ターミナルコネクタに締結することにより、ターミナルコネクタ取り合いコネクタの間に盗難防止の締結を形成することを特徴とする一種の同軸ケーブルコネクタ取外し防止ブッシングとしている。
請求項２の考案は、該閉合機構は、上蓋の第２端面に一つ以上の装入部を設け、一つ以上の収容孔により、装入部と締結することを特徴とする請求項１記載の同軸ケーブルコネクタ取外し防止ブッシングとしている。
請求項３の考案は、該収容孔の末端部は勾配部を設けることを特徴とする請求項２記載の同軸ケーブルコネクタ取外し防止ブッシングとしている。
請求項４の考案は、該装入部は二股アームを設け、該二股アームの外側に円錐形翼部をそれぞれ設け、装入部と収容孔の結合により、翼部は勾配部の下方に締結されて、分離できないことを特徴とする請求項２記載の同軸ケーブルコネクタ取外し防止ブッシングとしている。
請求項５の考案は、該上下蓋の裏表面は、半リング形溝を互いに対応して設け、該戻り防止片は半リング形溝から内側に一定の距離を曲げて、該棒部材に備えるノッチの表面に接触することを特徴とする請求項１記載の同軸ケーブルコネクタ取外し防止ブッシングとしている。
【考案の効果】
【０００９】
本考案の同軸ケーブルコネクタ取外し防止ブッシングは、本考案の取外し防止ブッシング１０は、同軸ケーブルコネクタ４０と取り合いコネクタ６１との安全締結を長期間に維持することにより、公知技術の違法接続問題を解消し、利用者の違法接続による伝送品質低下、または回線破壊を防止できる。
【考案を実施するための最良の形態】
【００１０】
図６に示す従来式の同軸ケーブルコネクタ４０は、ターミナルコネクタ４１および同軸ケーブル４２を設けて、ターミナルコネクタ４１と緊密に締結し、同軸ケーブル４２を各種の電気部材６０に連結し、電気的並びに機械締結を形成する。ターミナルコネクタ４１に軸カラー４３を設け、棒部材４４は軸方向にて軸カラー４３に取り付けて、その先端部に雄フランジ４５を設け、輪状ノッチ４６を雄フランジ４５に設ける。ターミナルコネクタ４１の先端部は雄フランジ４５において、自由回転できるように締結具４７を設ける。締結具４７内部にネジ山を形成し、その外部に六角体部材４８を設け、スパナまたはその他の工具により、ターミナルコネクタ４１をねじ付き取り合いコネクタ６１の電気部材６０に締結する。
【００１１】
付帯の図式に示す番号それぞれは各図式の素子に対応する。図１、図２はそれぞれ、本考案の同軸ケーブルコネクタの取外し防止ブッシング閉合状態立体図、開放状態立体図を示す。取外し防止ブッシング１０は上蓋２０と下蓋３０をそれぞれ半円筒形より形成し、末端部の密閉端１１、I２の間に孔１３を形成し、その直径は同軸ケーブル４２を収容できる。軸カラー４３は密閉端１１、１２の支えによりターミナルコネクタ４１を取外し防止ブッシング１０より引き出すことを抑止する。上蓋２０と下蓋３０は第１端面２６、３６、第２端面２７、３７を備え、裏表面２１、３１に半円形を形成し、ターミナルコネクタ４１を収容する。裏表面２１、３１に半リング形溝２２、３２を設け、半リング形溝２２、３２それぞれ弾性戻り防止片２４、３４を設ける。図３に示すものは、２枚の戻り防止片２４、３４は間隔を置いて、半リング形溝２２、３２に形成する。上蓋２０と下蓋３０の第１端面２６、３６の間は連結帯２３により、互いに締結する。
【００１２】
戻り防止片２４、３４は半リング形溝２２、３２から内側に曲げて、図４に示す指部２５、３５を形成する。指部２５、３５は棒部材４４のノッチ４６に装入するため、半リング形溝２２、３２より一定距離に露出しておく、取外し防止ブッシング１０をターミナルコネクタ４１に組み合わせた後、戻り防止片２４、３４の指部２５、３５を締結具４７のノッチ４６に締結し、ターミナルコネクタ４１を取外し防止ブッシング１０より分離することができないが、取外し防止ブッシング１０はターミナルコネクタ４１内部に自由回転できる。よって、取外し防止ブッシング１０の回転はターミナルコネクタ４１に連動しない。
【００１３】
取外し防止ブッシング１０はさらに、閉合機構を上蓋２０と下蓋３０の第２端面２７、３７の間に設け、閉合機構は一つ以上の装入部５０を上蓋２０の第２端面２７に設け、一つ以上の収容孔５１は装入部５０に合わせて下蓋３０の第２端面３７に設ける。収容孔５１の末端面は勾配部５２を形成しても良い。装入部５０は二股アーム５３より形成し、収容孔５１に装入する。装入している間、二股アーム５３外側の円錐形翼部５４は勾配部５２の放射方向の圧迫を受けて、サイズが小さくなり、円錐形翼部５４を勾配部５２へ完全に装入する。最終の締結位置は、円錐形翼部５４を勾配部５２の下方に押されて、装入部５０と収容孔５１は互いに連結し、切り離しができなくなる(図５)。
【００１４】
図６から図９は、取外し防止ブッシング１０を同軸ケーブルコネクタ４０への取り付け方法である。手順１は、ターミナルコネクタ４１の締結具４７をネジ山取り合いコネクタ６１の電気部材６０に取り付けて、同軸ケーブル４２と電気部材６０との電気接続を提供する（図６）。手順２は、開放状態の上蓋２０と下蓋３０を同軸ケーブル４２外部に取り付けて、押さえ力により、装入部５０と収容孔５１と互いに締結する(図７)。上蓋２０と下蓋３０と閉合状態を形成する(図８)。手順３、押さえ力により、取外し防止ブッシング１０をターミナルコネクタ４１に押さえて行く、弾性戻り防止片２４、３４の指部２５、３５は押されて、リング形溝４６に圧迫される(図９)。これにより、締結具４７を取外し防止ブッシング１０内部に隠される。取外し防止ブッシング１０は回転するとき、締結具４７は連動されないため、ターミナルコネクタ４１は取外し防止ブッシング１０の取外し防止保護により、締結具４７と取り合いコネクタ６１と安定な締結を維持できる。
【００１５】
以上の説明により、本考案の取外し防止ブッシング１０は、同軸ケーブルコネクタ４０と取り合いコネクタ６１との安全締結を長期間に維持することにより、公知技術の違法接続問題を解消し、利用者の違法接続による伝送品質低下、または回線破壊を防止できる。
【図面の簡単な説明】
【００１６】
【図１】本考案の取外し防止ブッシングの立体図である。
【図２】本考案の取外し防止ブッシングの開放状態の立体図である。
【図３】本考案図２の俯視図である。
【図４】本考案の取外し防止ブッシングを同軸ケーブルコネクタに配置された断面図である。
【図５】本考案の閉合機構の断面図である。
【図６】本考案の取外し防止ブッシングを同軸ケーブルコネクタへの取り付け手順図である。
【図７】本考案の取外し防止ブッシングを同軸ケーブルコネクタへの取り付け手順図である。
【図８】本考案の取外し防止ブッシングを同軸ケーブルコネクタへの取り付け手順図である。
【図９】本考案の取外し防止ブッシングを同軸ケーブルコネクタへの取り付け手順の断面図である。
【符号の説明】
【００１７】
１０  取外し防止ブッシング
１１、１２  密閉端面
１３  孔
２０  上蓋
３０  下蓋
２１、３１  裏表面
２２、３２  半リング形溝
２４、３４  弾性戻り防止片
２５、３５  指部
４０  同軸ケーブルコネクタ
４１  ターミナルコネクタ
４２  同軸ケーブル
４３  軸カラー
４４  棒部材
４５  雄フランジ
４６  ノッチ
４７  締結具
４８  六角体部
５０  装入部
５１  収容孔
５２  勾配部
５３  二股アーム
５４  円錐形翼部
６０  電気部材
６１  取り合いコネクタ
【図１】
0003126613.tif 000003
【図２】
0003126613.tif 000004
【図３】
0003126613.tif 000005
【図４】
0003126613.tif 000006
【図５】
0003126613.tif 000007
【図６】
0003126613.tif 000008
【図７】
0003126613.tif 000009
【図８】
0003126613.tif 000010
【図９】
0003126613.tif 000011